(57)【要約】  開放型ホースクランプは、いわゆるオエティカ耳部２４の形の締結手段を有する。互いに嵌合する鋸歯部分１５，２３によって、締結状態がロックされる。ロック状態では、耳部が弛緩状態であるため、外向き突出耳部２４が破損した場合でもホースクランプがクランプ機能を失うことはない。耳部のエリアでのクランプバンドの幅は、それ以外のクランプバンド幅と比較して減少している。【選択図】図４【特許請求の範囲】
【請求項１】
外端部分に重複される内端部分と、ホースクランプの閉鎖状態で両端部分を相互嵌合状態に保持する閉鎖手段（１６，１７，２７，２８）と、クランプバンド（１０）に設けられて、ウェブ（２６）により相互接続された二つの外向き突出脚部（２５）を有する耳型締結手段（２４）と、ホースクランプの締結状態で前記クランプバンド（１０）の前記内端部分を、前記外側クランプバンド端部（２９）から離間した前記締結手段（２４）の側の前記外端部分との嵌合状態に保持する保持手段（１５，２３）とを有するクランプバンド（１０）を具備するホースクランプにおいて、
前記クランプバンド（１０）が、他の場所よりも小さい幅を前記締結手段（２４）のエリアに有することを特徴とする、ホースクランプ。
【請求項２】
前記締結手段（２４）のエリアで、前記クランプバンド（１０）の幅が、前記バンド最大幅と比較して少なくとも１０パーセント減少している、請求項１のホースクランプ。
【請求項３】
前記保持手段が、前記クランプバンド（１０）の前記内端部分の外側に設けられた第１鋸歯部分（１５）と、前記外側クランプバンド端部（２９）から離間した前記締結手段（２４）の側で前記外端部分の内側に設けられるとともにホースクランプの締結状態において前記第１鋸歯部分（１５）と嵌合する第２鋸歯部分（２３）とを有する、請求項１または２のホースクランプ。
【請求項４】
少なくとも二つのホースクランプの前記クランプバンド（１０）が異なる幅を有するが、前記締結手段（２４）のエリアの幅がすべてのホースクランプで同じである、請求項１〜３のいずれか１項に記載の複数のホースクランプのセット。
【請求項５】
１２ｍｍ、１４ｍｍ、１６ｍｍの幅を有するクランプバンド（１０）を持つ複数のホースクランプを含み、すべてのホースクランプが前記締結手段（２４）のエリアで１２ｍｍのバンド幅を有する、請求項４に記載のセット。
【発明の詳細な説明】
【技術分野】
【０００１】
本発明はホースクランプに関する。
【背景技術】
【０００２】
請求項１のプリアンブルに記載された特徴を有する開放型ホースクランプは、特許文献１から周知である。周知のクランプでは、クランプバンドの内端部分が第１鋸歯部分を外側に有して、この第１鋸歯部分は、ホースクランプの締結状態において、外側クランプバンド端部から離間した耳型締結手段の側で外端部分の内側に形成された第２鋸歯部分と嵌合する。耳型締結手段は、設置中のみにホースクランプを締結するように機能し、この設置は、耳状クランプに共通するプライヤ型工具によって自動また手動で行われうる。装着状態において、締結中に発生する保持力は、相互嵌合する鋸歯部分により維持され、耳部は弛緩状態になる。ロックを行う鋸歯部分は、耳領域の外側に配設されているので、外向き突出耳部が破損した時でも設置後のホースクランプはその機能を安全に果たしうる。
【先行技術文献】
【特許文献】
【０００３】
【特許文献１】国際公開第２０１３／０６０３４６Ａ１号パンフレット
【発明の概要】
【発明が解決しようとする課題】
【０００４】
周知のホースクランプを改良することが本発明の概略的な目的である。クランプを締結するのに必要な力を軽減することが、本発明のより具体的な目的である。
【課題を解決するための手段】
【０００５】
この目的は、請求項１に規定されたホースクランプによって満たされる。請求項１に記載の締結手段のエリアでのクランプバンド幅の減少は、締結手段が設置中にその機能を実施するだけでよく、締結状態では鋸歯部分によって保持力が維持され、締結手段が弛緩状態になるという事実により可能となっている。締結手段のエリアでの幅減少により、これに対応する小さい力で締結プロセスが実施されうる。これは、小型の設置工具の使用も可能にする。
【０００６】
同時に、閉鎖力を保持する際には、耳部のエリアにクランプバンド幅の減少が見られない耳状クランプと比較すると、高い力が周方向に加えられることにより、クランプの締結に関連する径方向の力を効果的に増大させる。
【０００７】
請求項４の構成では、異なるクランプバンド幅の複数のホースクランプに対して同じ締結工具が使用されうるという利点が、結果的に得られる。
【図面の簡単な説明】
【０００８】
【図１】閉鎖後だが未締結の状態でのホースクランプの斜視図である。
【図２】閉鎖状態でクランプバンドの内側となる方から見た、平坦状態での図１のホースクランプの斜視描写である。
【図３】閉鎖状態でクランプバンドの外側となる方から見た、平坦状態での図１のホースクランプの斜視描写である。
【図４】図３に示されたホースクランプの外側バンド端部の拡大平面図である。
【発明を実施するための形態】
【０００９】
以下では、図面を参照して、本発明の実施形態がより詳しく説明される。
【００１０】
図面に示されたホースクランプは、図２および３の左上側にある端部１１から始まって以下の要素を有するクランプバンド１０で構成される。クランプバンド１０の最大幅より小さい幅を有する舌部１２、舌部１２に形成されて閉鎖クランプの径方向外向きとなる第１鋸歯部分１５、支持フック１６を形成する突出部、案内フック１７、クランプの予定外の開放に抗する一体的な固定フック１８、クランプバンドから曲げ出されたカバー部分１９、段部２１に続く隆起部分２２、閉鎖クランプの径方向内向きとなる第２鋸歯部分２３、径方向外向きに延出してウェブ２６により相互接続される二つの脚部２５を有するいわゆる「オエティカ耳部」２４の形の締結手段２４、支持フック収容部を形成する凹部２７、案内フック収容部２８、および外側クランプバンド端部２９。
【００１１】
支持フック収容部２７に形成されている長手方向延在の案内ウェブ収容部に収容される長手方向延在の案内ウェブが、支持フック１６に形成されている。この構造は、舌部１２が第２鋸歯部分２３と整列されることを保証する。さもなければ、組立中に舌部１２が第２鋸歯部分２３と中心で嵌合しないというリスクが生じるだろう。
【００１２】
納品時に閉鎖されているホースクランプは、ホースの端部に囲まれるパイプニップル等のクランプ対象物体に載置される。続いて、両方の脚部２５と嵌合する一対のプライヤなどの自動または手動締結工具を用いて耳部２４を狭窄して二つの鋸歯部分１５，２３が嵌合状態となることにより、ホースクランプが締結される。この嵌合により、この時には締結エリアの外側にある耳部２４が弛緩している締結状態でホースクランプがロックされる。外向きに突出する耳部に破損が生じても、ホースクランプの保持機能に本質的な影響を及ぼさない。
【００１３】
図１に示されたホースクランプの閉鎖状態から、締結プロセス中に、舌部１２は、これに続くクランプバンド最大幅部分が段部２１の近くになるまで、カバー部分１９の下のエリアへ移動する。この状態で、クランプ対象物体はホースクランプのバンド最大幅に囲まれ、全周には段部または間隙が実質的に見られない。
【００１４】
特に図４から分かるように、クランプバンドの幅は、バンド最大幅と比較すると耳部２４のエリアで少なくとも１０パーセント、好ましくは２０パーセントだけ減少している。バンド幅の減少は脆弱化を引き起こすが、上で説明したように、最終的に使用される設置状態では耳部は基本的に弛緩状態であるため、差支えない。他方、バンド幅の減少は、全体で一定のクランプバンド幅を有するクランプと比較すると、耳部の脚部と嵌合するプライヤ型工具などを用いてクランプを締結するとともに所定の縮径を達成するのに小さい力で充分であることを意味する。
【００１５】
一般的なクランプバンド幅は１２ｍｍ、１４ｍｍ、および１６ｍｍである。このようなホースクランプすべてで耳部のエリアでのバンド幅が１２ｍｍとされた場合には、すべてのホースクランプについて同じ締結工具が使用されうる。
【符号の説明】
【００１６】
１０  クランプバンド
１１  内側クランプバンド端部
１２  舌部
１５  第１鋸歯部分
１６  支持フック
１７  案内フック
１８  固定フック
１９  カバー部分
２１  段部
２２  隆起部分
２３  第２鋸歯部分
２４  耳部
２５  脚部
２６  ウェブ
２７  支持フック収容部
２８  案内フック収容部
２９  外側クランプバンド端部
【図１】
2016534300.tif 000002
【図２】
2016534300.tif 000003
【図３】
2016534300.tif 000004
【図４】
2016534300.tif 000005
【国際調査報告】
2016534300.tif 000006
2016534300.tif 000007
2016534300.tif 000008
2016534300.tif 000009
2016534300.tif 000010
2016534300.tif 000011